(57)【要約】【課題】小型で収納及び使用に際して便利であって、必要に応じて負荷を調整することができ、効果的に運動効果を得ることができる回転運動器具を提供すること。【解決手段】本体１０が脚部２０と着脱可能に組み立てられ椅子の形態となる。本体１０が下フレーム１１、回転盤１２及び負荷調整器１３から構成される。回転盤１２は下フレーム１１の中央フレーム１１１の上方に設置され、回転盤１２の内部に回転部材１２２２が設けられ、上回転盤１２１が底盤１２２との間で平面３６０度の相対的回転を行うことが可能であって、負荷調整器１３の滑り止めベルト１３２が上回転盤１２１の周溝１２１１に掛け回され、滑り止めベルト１３２のきつさを調整することで上回転盤１２１の回転時の負荷を調整する。ハンドル１１２は二段式調節構造を有し、使用時に異なる長さに調整する。【選択図】図１
0003124702.tif 000002
【実用新案登録請求の範囲】
【請求項１】
下フレーム、回転盤及び負荷調整器から構成される本体が、脚部の上部に着脱可能に組み付けられて椅子の形態をなす回転運動器具であって、
前記下フレームは、中央フレーム及びその両側に着脱可能に連設された左右のハンドルからなり、
前記中央フレームは、互いに平行で同じ長さの棒状をなした２つの横方向フレーム間に、互いに平行で同じ長さの棒状をなした２つの縦方向フレームが互いに間隔を開けて固定されて形成され、前記中央フレームの底面に複数の滑り止め体が設けられ、前記中央フレームの上面にベルト挟みが設けられ、
前記２つの縦方向フレームはその側面に前記脚部の上部に対する固定用孔が開設され、前記２つの横方向フレームはその両端面に前記ハンドルを挿入すべく開口が設けられ、前記２つの横方向フレームの両端寄りの側面に前記ハンドルを固定するための固定つまみが設けられ、
前記ハンドルは、その中央部分が湾曲されたＵ字形状をなすと共に中央の湾曲部分が互いに向き合う両端部に対して上方に向けて屈曲され、前記両端部は、前記中央フレームの前記横方向フレームの両端の開口内に摺動可能に挿入される固定端とされ、
前記回転盤は、上回転盤及び底盤を含み、前記底盤は前記中央フレームの上面に固定され、前記底盤の上面に、少なくとも１つの環状溝よりなるスライド溝が設けられると共に、前記スライド溝内に回転部材が配設され、前記上回転盤が前記底盤上に閉じ合わされて平面３６０度の相対的な回転が可能であり、前記上回転盤は周方向全周に亘る周溝を有し、前記上回転盤の上方にパッドが設置され、
前記負荷調整器は、調整座部と、該調整座部の側部に設けられた調整ダイヤルと、前記調整座部に連結された滑り止めベルトとからなり、前記滑り止めベルトは、一端が前記調整座部の調整ダイヤルと間接的に接続され、延伸部分が前記上回転盤の前記周溝に掛け回され、他端が前記下フレームに設けられた前記ベルト挟みに固定され、前記調整ダイヤルの回動操作で、滑り止めベルトのきつさを調整し、前記上回転盤の回転に対して与える負荷を調整する、
ことを特徴とする回転運動器具。
【請求項２】
前記回転部材がボールであることを特徴とする請求項１に記載の回転運動器具。
【請求項３】
前記回転部材がローラーであることを特徴とする請求項１に記載の回転運動器具。
【請求項４】
前記ハンドルの前記固定端の側面に長手方向の異なる２箇所に前記横方向フレームに設けられた前記固定用ツマミに対応した固定用孔がそれぞれ穿設され、前記ハンドルは、前記固定用ツマミと、前記固定端の２箇所に設けられた固定用孔とによる２段式の長さ調節構造を備えたことを特徴とする請求項１に記載の回転運動器具。
【請求項５】
前記脚部は、２つの脚部フレームがＸ字状に交差されると共に交差部分が軸で互いに開閉自在に連結させてなる折り畳み構造であり、前記脚部フレームの上部に前記中央フレームの前記縦方向フレームに設けられた固定用孔に対応する固定片と、前記脚部の上部に前記本体が取り付けられた状態において、前記縦方向フレームの側面に当接される滑り止め突起が設けられたことを特徴とする請求項１に記載の回転運動器具。
【考案の詳細な説明】
【技術分野】
【０００１】
本考案は、回転運動器具に関し、詳しくは、回転盤の回転を利用した運動方式の回転運動器具であって、使用することで体のラインを形作る効果を得ることができる回転運動器具に関する。
【背景技術】
【０００２】
生活の質の向上に伴い、人々は体の健康に対してもより要求が多くなっている。最良の健康維持方法はやはり運動であるが、仕事時間及び仕事時間数の関係で屋外での運動ができない人もいる。このため、各種の室内用運動器材が続々と発売されており、家の中やフィットネスセンターで随時運動することができ、体の健康維持と各部筋肉の形成という目的を達成することが可能である。
【考案の開示】
【考案が解決しようとする課題】
【０００３】
しかしながら、一般的な運動器材は設計された運動方法が異なるため、運動させることができる体の筋肉部位も異なる。現在よく見受けられる運動器材にはランニングマシン、サイクリングマシン及びウエイトトレーニングマシン等があるが、以上で述べた運動器材はすべて大型であって収納には不向きであり、一般的な家の空間が限られている人にとっては使用に不便である。また、各運動器材が体のある特定部分の筋肉に対して設計されているため、体の様々な異なる部位の筋肉を形作るという目的を達成することは困難であり、改良が必要である。
【０００４】
本考案は、上述の従来の運動器材におけるその使用と収納及び体の筋肉を作る効果がはっきり出ない等の欠点に鑑みてなされたものであり、小型であって収納に便利であるだけでなく、使用者が必要に応じて体の様々な異なる部位を回転可能な回転盤上に載せることができ、且つ、回転盤はきつさ（負荷）を調整することができて、異なるニーズの使用者に合わせることができる回転運動器具を提供するものである。
【０００５】
本考案の主たる目的は、小型で収納及び使用に際して便利であって、必要に応じて負荷を調整することができ、効果的に運動効果を得ることができる回転運動器具を提供することにある。また、本考案の他の目的は、上述の回転運動器具と結合して使用でき、また使用者が運動後の休憩用またはその他延伸運動用の椅子としても用いることができる脚部を備えた回転運動器具を提供することにある。
【課題を解決するための手段】
【０００６】
請求項１に係る回転運動器具は、上記課題を解決するために、下フレーム、回転盤及び負荷調整器から構成される本体が、脚部の上部に着脱可能に組み付けられて椅子の形態をなすものであって、前記下フレームは、中央フレーム及びその両側に着脱可能に連設された左右のハンドルからなり、前記中央フレームは、互いに平行で同じ長さの棒状をなした２つの横方向フレーム間に、互いに平行で同じ長さの棒状をなした２つの縦方向フレームが互いに間隔を開けて固定されて形成され、前記中央フレームの底面に複数の滑り止め体が設けられ、前記中央フレームの上面にベルト挟みが設けられ、前記２つの縦方向フレームはその側面に前記脚部の上部に対する固定用孔が開設され、前記２つの横方向フレームはその両端面に前記ハンドルを挿入すべく開口が設けられ、前記２つの横方向フレームの両端寄りの側面に前記ハンドルを固定するための固定つまみが設けられ、前記ハンドルは、その中央部分が湾曲されたＵ字形状をなすと共に中央の湾曲部分が互いに向き合う両端部に対して上方に向けて屈曲され、前記両端部は、前記中央フレームの前記横方向フレームの両端の開口内に摺動可能に挿入される固定端とされ、前記回転盤は、上回転盤及び底盤を含み、前記底盤は前記中央フレームの上面に固定され、前記底盤の上面に、少なくとも１つの環状溝よりなるスライド溝が設けられると共に、前記スライド溝内に回転部材が配設され、前記上回転盤が前記底盤上に閉じ合わされて平面３６０度の相対的な回転が可能であり、前記上回転盤は周方向全周に亘る周溝を有し、前記上回転盤の上方にパッドが設置され、前記負荷調整器は、調整座部と、該調整座部の側部に設けられた調整ダイヤルと、前記調整座部に連結された滑り止めベルトとからなり、前記滑り止めベルトは、一端が前記調整座部の調整ダイヤルと間接的に接続され、延伸部分が前記上回転盤の前記周溝に掛け回され、他端が前記下フレームに設けられた前記ベルト挟みに固定され、前記調整ダイヤルの回動操作で、滑り止めベルトのきつさを調整し、前記上回転盤の回転に対して与える負荷を調整することを特徴とする。
【０００７】
請求項２に係る回転運動器具は、請求項１に係る回転運動器具において、前記回転部材がボールであることを特徴とするものである。請求項３に係る回転運動器具は、請求項１に係る回転運動器具において、前記回転部材がローラーであることを特徴とするものである。
【０００８】
また、請求項４に係る回転運動器具は、請求項１に係る回転運動器具において、前記ハンドルの前記固定端の側面に長手方向の異なる２箇所に前記横方向フレームに設けられた前記固定用ツマミに対応した固定用孔がそれぞれ穿設され、前記ハンドルが、前記固定用ツマミと、前記固定端の２箇所に設けられた固定用孔とによる２段式の長さ調節構造を備えたことを特徴とするものである。
【０００９】
請求項５に係る回転運動器具は、請求項１に係る回転運動器具において、前記脚部が、２つの脚部フレームがＸ字状に交差されると共に交差部分が軸で互いに開閉自在に連結させてなる折り畳み構造であり、前記脚部フレームの上部に前記中央フレームの前記縦方向フレームに設けられた固定用孔に対応する固定片と、前記脚部の上部に前記本体が取り付けられた状態において、前記縦方向フレームの側面に当接される滑り止め突起が設けられたことを特徴とするものである。
【考案の効果】
【００１０】
本考案の回転運動器具によれば、上述の構造により、その使用時には、使用者が手や脚、臀部、腹部、さらには背部など体の異なる各部位を回転盤のパッド上に載せ、使用者が自身の力で回転盤を回転させると、回転盤は負荷調整器の滑り止めベルトのきつさに従った大きさの負荷がかかりながら回転するため、体の局部区域の筋肉に必要な運動効果を与えることができ、使用者は適切な運動方法を選択することで体の局部の曲線を形作ることができる。さらに、本体が小型であって、且つハンドル、下フレームと脚部間は分離可能な設計であるため、使用時の組み立てや使用後の分解に別途工具を使用する必要がない。また、脚部は折り畳み式の設計であるため、収納時にも占有する空間が小さく、収納しやすい。また、脚部と本体を結合させると、運動後に腰掛けて休むための椅子として使用したり、脚を載せて全身性の運動を行ったりすることができる。
【考案を実施するための最良の形態】
【００１１】
以下、本考案の実施の形態を図面に基いて詳細に説明する。図１は本考案の実施形態に係る回転運動器具を分解して示す斜視図である。また、図２は本考案の回転運動器具を組み立てた状態で示す斜視図である。図１に示すように、本考案の実施形態に係る回転運動器具は、概略として本体１０と、本体１０に対して着脱可能に取り付けられる脚部２０とで構成され、図２に示すように、脚部２０の上部に本体１０が組み付けられて椅子の形態を形成する。
【００１２】
図１に示すように、本体１０は、下フレーム１１、回転盤１２及び負荷調整器１３から構成されている。下フレーム１１は中央フレーム１１１及びその両側に着脱可能に連設された左右のハンドル１１２，１１２からなる。中央フレーム１１１は、互いに平行で同じ長さの棒状をなした２つの横方向フレーム１１１２間に、互いに平行で同じ長さの棒状をなした２つの縦方向フレーム１１１１が互いに間隔を開けて固定されて形成されている。
【００１３】
２つの縦方向フレーム１１１１はその側面の適宜位置に脚部２０の上部に対する固定用孔１１１１１が開設されている。また、２つの横方向フレーム１１１２はその両端面にハンドル１１２を挿入すべく開口１１１２１が設けられ、２つの横方向フレーム１１１２の両端寄りの側面にはハンドル１１２を固定するための固定つまみ１１１２２が設けられている。中央フレーム１１１の底面には、複数の滑り止め体１１１３が設けられ、中央フレーム１１１の上面の適切な位置にはベルト挟み１１１４が設けられている。
【００１４】
ハンドル１１２は、棒状のパイプを中央部分で湾曲させたＵ字形状をなし、さらに中央の湾曲部分が両端部に対して上方に向けて屈曲されている。ハンドル１１２の互いに向き合う両端部は、中央フレーム１１１の横方向フレーム１１１２の両端の開口１１１２１内に摺動可能に挿入される固定端１１２１とされている。固定端１１２１の側面には、長手方向の異なる２箇所に前記固定用ツマミ１１１２２に対応した固定用孔（図１参照）がそれぞれ穿設されている。このように、ハンドル１１２は、中央フレーム１１１の横方向フレーム１１１２に設けられた固定用ツマミ１１１２２と、ハンドル１１２の固定端１１２１の側面の２箇所に設けられた固定用孔とによる２段式の長さ調節構造を備えている。そして、使用者が使用時に、中央フレーム１１１の両側部に対してハンドル１１２の長さを調整して握りやすいようにすることができる。
【００１５】
回転盤１２は、上回転盤１２１及び底盤１２２を含む。底盤１２２は下フレーム１１の中央フレーム１１１の上面に固定される。底盤１２２の上面には、少なくとも１つの（この実施形態では径の異なる２つの）環状溝よりなるスライド溝１２２１が設けられると共に、スライド溝１２２１内に回転部材１２２２（ボールまたはローラー）が配設され、上回転盤１２１が底盤１２２上に閉じ合わされて平面３６０度の相対的な回転が可能となっている。上回転盤１２１には周方向全周に亘る周溝１２１１が設けられ、上回転盤１２１上方には適切なパッド１２１２が設置される。
【００１６】
回転盤１２（上回転盤１２１）の回転に対して与える負荷を調整するための負荷調整器１３は、中央フレーム１１１の左側の縦方向フレーム１１１１の側方に配設される調整座部１３１と（図２参照）、図１に示すように、調整座部１３１の側部に設けられた調整ダイヤル１３１１と、調整座部１３１にバネ１３１２を介して連結された滑り止めベルト１３２とからなる。滑り止めベルト１３２は、一端がバネ１３１２に連結され（前記バネ１３１２を通じて調整ダイヤル１３１１と間接的に接続され）、延伸部分が回転盤１２の上回転盤１２１の外周の周溝１２１１に掛け回され、他端が下フレーム１１の上面に設けられたベルト挟み１１１４にはさみ込まれて固定されている。負荷調整器１３は、調整座部１３１の調整ダイヤル１３１１を回転させることで滑り止めベルト１３２のきつさを調整し、上回転盤１２１の回転時の負荷を調整する。
【００１７】
脚部２０は、パイプを矩形状に連結してなる２つの脚部フレーム２１，２１がＸ字状に交差されると共に、交差部分が軸で互いに開閉自在に連結させてなる折り畳み構造であり、２つの相対する脚部フレーム２１を必要に応じて閉じ合わせて収納したり開いて使用したりすることができる。脚部フレーム２１，２１の上部には、中央フレーム１１１の縦方向フレーム１１１１に設けられた固定用孔１１１１１に対応する固定片２１１と、脚部２０の上部に本体１０が取り付けられた状態において、縦方向フレーム１１１１の側面に当接される滑り止め突起２１２とが設けられている。図１に示すように、脚部２０の上部に中央フレーム１１１を結合させた後、固定具（ピン）を固定片２１１の孔に挿通し、さらに固定具の先端を縦方向フレーム１１１１に設けられた固定用孔１１１１１に挿入することによって固定し、椅子の形態とすることができる。
【００１８】
なお、負荷調整器１３は、実施形態のものに代えて一般的なサイクリングマシンによく使用される負荷装置とすることができ、前記負荷装置が直接前記周溝１２１１の表面に押し当てられ、適切な調整機構により負荷装置が押し当てられる力を変えることにより、適切な調整効果を得る。
【００１９】
図３から図１４に本考案の回転運動器具の使用状態をそれぞれ示す。使用者は手や脚、臀部、腹部、さらには背部など体の異なる各部位を回転盤１２のパッド１２１２上面に載せ、必要に応じて手で両側のハンドル１１２を握って運動を行う。
【００２０】
使用者は自身の力で回転盤１２を回転させ、運動する。例えば、手をパッド１２１２上に置き、腰部のひねり運動を行うときは、手を支点として体を左右に揺動させる（図３、図４参照）。また、脚部２０と本体１０を結合させた後、使用者は自身の脚を載せてより広範囲な全身性の運動をすることもできる。
【００２１】
本考案の回転盤１２は負荷調整器１３の調整に従って滑り止めベルト１３２をゆるくしたりきつくしたりすることにより、負荷を調整することができ、使用者は負荷に対抗するで力で回転させなければならないため、力を入れる部位の局部区域の筋肉に必要な運動量を与えることができ、体の健康維持と曲線の形成を助ける効果が得られる。
【００２２】
上述のように、本考案の回転運動器具は、本体１０が小型であり、中央フレーム１１１とハンドル１１２とが分離でき、また、本体１０と脚部２０とを分離して収納することができ、収納及び使用に際して空間を大きく占有せず、体の健康維持と曲線の形成を助ける効果が得られる。
【図面の簡単な説明】
【００２３】
【図１】本考案の実施形態に係る回転運動器具を分解して示す斜視図である。
【図２】同上の実施形態に係る回転運動器具を組み立てた状態を示す斜視図である。
【図３】手を回転盤のパッドに載せて運動する場合の回転運動器具の使用状態の一例を示す斜視図である。
【図４】手を回転盤のパッドに載せて運動する場合の回転運動器具の使用状態の別の例を示す斜視図である。
【図５】両膝を回転盤のパッドに載せて運動する場合の回転運動器具の使用状態の一例を示す斜視図である。
【図６】両膝を回転盤のパッドに載せて運動する場合の回転運動器具の使用状態の別の例を示す斜視図である。
【図７】臀部を回転盤のパッドに載せて運動する場合の回転運動器具の使用状態の一例を示す斜視図である。
【図８】臀部を回転盤のパッドに載せて運動する場合の回転運動器具の使用状態の別の例を示す斜視図である。
【図９】腹部を回転盤のパッドに載せて運動する場合の回転運動器具の使用状態の一例を示す斜視図である。
【図１０】腹部を回転盤のパッドに載せて運動する場合の回転運動器具の使用状態の別の例を示す斜視図である。
【図１１】背部を回転盤のパッドに載せて運動する場合の回転運動器具の使用状態の一例を示す斜視図である。
【図１２】背部を回転盤のパッドに載せて運動する場合の回転運動器具の使用状態の別の例を示す斜視図である。
【図１３】臀部を回転盤のパッドに載せ、手でハンドルを握って運動する場合の使用状態の一例を示す斜視図である。
【図１４】臀部を回転盤のパッドに載せ、手でハンドルを握って運動する場合の使用状態の別の例を示す斜視図である。
【符号の説明】
【００２４】
１０  本体
１１  下フレーム
１１１  中央フレーム
１１２  ハンドル
１１１１  縦方向フレーム
１１１２  横方向フレーム
１１１１１  固定用孔
１１１２１  開口
１１１２２  固定用ツマミ
１１１３  滑り止め体
１１１４  滑り止めベルト挟み
１１２１  固定端
１２  回転盤
１２１  上回転盤
１２２  底盤
１２２１  スライド溝
１２２２  回転部材
１２１１  周溝
１２１２  パッド
１３  負荷調整器
１３１  調整座部
１３２  滑り止めベルト
１３１１  調整ダイヤル
１３１２  バネ
２０  脚部
２１  脚部フレーム
２１１  固定片
２１２  滑り止め突起
【図１】
0003124702.tif 000003
【図２】
0003124702.tif 000004
【図３】
0003124702.tif 000005
【図４】
0003124702.tif 000006
【図５】
0003124702.tif 000007
【図６】
0003124702.tif 000008
【図７】
0003124702.tif 000009
【図８】
0003124702.tif 000010
【図９】
0003124702.tif 000011
【図１０】
0003124702.tif 000012
【図１１】
0003124702.tif 000013
【図１２】
0003124702.tif 000014
【図１３】
0003124702.tif 000015
【図１４】
0003124702.tif 000016